(57)【要約】      （修正有）【課題】発熱部材の中央箇所の最大発熱エリアの冷却問題を解決し、大幅に冷却効果を向上できるファンの渦流増圧装置を提供する。【解決手段】ハブ１１及びハブの周囲に沿って複数のブレード１２を設置し、ハブ１１の一側から別の一側に向かって徐々に縮小して突出延伸し、突出延伸した一端は底部の中心箇所に相対するようにし、各ブレードは連結端２２１と自由端２２２を具え、連結端と自由端の間の両側にそれぞれ前縁２２３と後縁を具え、連結端はハブの周囲に連結し、自由端は外向きに突出延伸し、各ブレードの後縁は隣接するブレードの前縁に覆い遮られ、各ブレードの遮られずに露出した面積は連結端から自由端に向かって漸増し、更に自由端の流体流入方向と反対の一側に凸伸部を設け、以上の設置によって大幅に風圧特性を増加できる。【選択図】図３
0003129893.tif 000002
【実用新案登録請求の範囲】
【請求項１】
ファンの渦流増圧装置であって、ハブ及び該ハブの周囲に沿って設置した複数のブレードを具え、該ハブは一側から別の一側に向かって徐々に縮小して突出延伸して凸伸端を形成し、該凸伸端は該底部の中心箇所に相対して位置し、且つ発熱部材と向かい合わせにし、更にハブの両側間に該凸伸端に連続する中段部を形成し、
前述の各ブレードは連結端及び自由端を具え、該連結端及び該自由端の間の両側にそれぞれ前縁及び後縁を具え、該連結端は該ハブの周囲に連結し、該自由端は外向きに突出延伸し、該各ブレードの後縁は隣接するブレードの前縁に覆い遮られ、各ブレードの遮られずに露出した面積は該連結端から該自由端に行くに従って漸増するようにして成ることを特徴とするファンの渦流増圧装置。
【請求項２】
該ハブは少なくとも一つのハウジング内に設置して成ることを特徴とする請求項１記載のファンの渦流増圧装置。
【請求項３】
該各ブレードの自由端は流体が流入する方向と反対の一側に凸伸部を設けて成ることを特徴とする請求項１記載のファンの渦流増圧装置。
【請求項４】
該凸伸部は該ブレードに対し縦向きに設置して成ることを特徴とする請求項３記載のファンの渦流増圧装置。
【請求項５】
該発熱部材はヒートシンクであるようにして成ることを特徴とする請求項１記載のファンの渦流増圧装置。
【請求項６】
該発熱部材は中央処理装置（ＣＰＵ）であるようにして成ることを特徴とする請求項１記載のファンの渦流増圧装置。
【請求項７】
該中段部は該ハブの中心に対して外向きに張り出した曲線を形成するようにして成ることを特徴とする請求項１記載のファンの渦流増圧装置。
【考案の詳細な説明】
【技術分野】
【０００１】
本考案はファンの渦流増圧装置に関し、特にファンの風圧を増加する装置に関する。
【背景技術】
【０００２】
一般の放熱ファンの構造は図１、図2に示すように、ハブ１１及び複数のブレード１２を具え、ハブ１１は底部から上へ向かって軸に平行に延伸し、その延伸した一端１１１を平面とし、その面積寸法は底部と等しく、各ブレード１２はハブ１１の周囲に設け、前縁１２１と後縁１２２を具え、各ブレード１２の前縁１２１と隣接するブレード１２の後縁１２２は一定間隔１３を隔て、すなわち各ブレード１２は隣接するブレード１２に重ならない。
【０００３】
しかし上述の構造は使用上問題が存在し、ファンが回転すると流体を流動させ、各ブレード１２の間の間隔１３（流路）が大きいため、流体が間隔１３から流出する際にブレード１２の面が直接作用する流体量が少なく、流体の流出圧力が小さくなってしまい、更に流体は軸向きに流出すると即座に外へ拡散して流出してしまうため、流体を集中収束させて流出させることができず、冷却効果が悪くなる。
【特許文献１】特開２００６−１０５１２２号公報
【考案の開示】
【考案が解決しようとする課題】
【０００４】
上述の問題を効果的に解決するために、本考案はファンの渦流増圧装置を提供し、ブレードの一部面積を重ね、ブレードの自由端の流体進入の反対側に凸部を設け、ファンの圧力を増加し流体をハブ側に流動するよう導引できるようにすることを課題とする。
【０００５】
本考案はまた、ハブの一側から別の一側に向けて徐々に縮小して突出延伸させ凸伸端を形成し、凸伸端は底部の中心箇所の逆側に位置し、発熱部材に対応し、更にハブの両側の間に凸伸端に連続する中段部を形成して、ハブ側に近い流体が中段部に沿って凸伸端の発熱部材に向かって流動するように導引できるようにすることを課題とする。
【課題を解決するための手段】
【０００６】
本考案はファンの渦流増圧装置を提供し、ハブとハブの周囲に沿って設置した複数のブレードを具え、ハブは一側から別の一側に向かって徐々に縮小して突出延伸し、突出延伸した一端が底部の中心箇所に対応するようにし、各ブレードは連結端と自由端を具え、連結端と自由端の間の両側にそれぞれ前縁と後縁を具え、連結端はハブの周囲に連結し、字油単は外向きに突出延伸し、各ブレードの後縁は隣接するブレードの前縁が重なるようにし、各ブレードの重なって遮られていない露出した面積は連結端から自由端へ行くに従って漸増し、更に自由端の流体流入方向と反対側に凸伸部を設ける。
【０００７】
すなわち本考案のファンの渦流増圧装置は請求項１に記載するように、
ファンの渦流増圧装置であって、ハブ及び該ハブの周囲に沿って設置した複数のブレードを具え、該ハブは一側から別の一側に向かって徐々に縮小して突出延伸して凸伸端を形成し、該凸伸端は該底部の中心箇所に相対して位置し、且つ発熱部材と向かい合わせにし、更にハブの両側間に該凸伸端に連続する中段部を形成し、
前述の各ブレードは連結端及び自由端を具え、該連結端及び該自由端の間の両側にそれぞれ前縁及び後縁を具え、該連結端は該ハブの周囲に連結し、該自由端は外向きに突出延伸し、該各ブレードの後縁は隣接するブレードの前縁に覆い遮られ、各ブレードの遮られずに露出した面積は該連結端から該自由端に行くに従って漸増するようにして成ることを特徴とする。
【０００８】
該ハブは少なくとも一つのハウジング内に設置して成ることを特徴とする。
また、該各ブレードの自由端は流体が流入する方向と反対の一側に凸伸部を設けて成ることを特徴とする。
さらに、該凸伸部は該ブレードに対し縦向きに設置して成ることを特徴とする。
該発熱部材はヒートシンクであるようにして成ることを特徴とする。
該発熱部材は中央処理装置（ＣＰＵ）であるようにして成ることを特徴とする。
該中段部は該ハブの中心に対して外向きに張り出した曲線を形成するようにして成ることを特徴とする。
【考案の効果】
【０００９】
ブレードが流体を連動させてハウジングのベースを設けた側から進入させ、別の一側の発熱部材に向かって流動させると、ブレードを通過した流体はハブ側（ブレードの連結端）に向かって集中して流動し（流体の収束特性を形成）、またハブに近い流体はハブの側面を中段部に沿って凸伸端へ流れ、そのまま発熱部材の中央箇所に吹き付けることによって、発熱部材の中央箇所の最大発熱エリアの冷却問題を解決し、大幅に冷却効果を向上できる。
【考案を実施するための最良の形態】
【００１０】
本考案が提供するファンの渦流増圧装置の好適な実施例は、図３から図５に示すように、ハブ２１及び複数のブレード２２を具え、ハブ２１は一側から別の一側に向かって徐々に縮小して突出延伸して凸伸端２１１を形成し、凸伸端２１１はハブ２１の中心箇所に相対して位置し、中段部２１２はハブ２１の両側間に形成され、前述の凸伸端２１１に連続し、中段部２１２はハブ２１の中心に対して外向きに張り出した曲線を形成する。
【００１１】
前述の各ブレード２２は連結端２２１と自由端２２２を具え、前縁２２３と後縁２２４はそれぞれ連結端２２１と自由端２２２の両側（図５に示す）に形成し、連結端２２１はハブ２１の周囲に固設し、自由端２２２は外向きに突出延伸し、各ブレード２２の後縁２２４は隣接するブレード２２の前縁２２３に覆い遮られ、ブレード２２の遮られていない面積は連結端２２１から自由端２２２に行くに従って漸増し、各ブレードがスクリュー状に設置されるようにする。
【００１２】
若干の凸部２２５を前述の各ブレード２２の自由端２２２の流体が流入する方向と逆の一側にそれぞれ設け、且つ凸部２２５はブレード２２に対して縦に設置し、ハブ２１とブレード２２をハウジング２３内のベース２３１上に枢設する。
【００１３】
前述のハブ２１とブレードが回転すると、流体が連動して二つのブレード２２の間を流動し、ブレード２２は連結端２２１の近くは遮られていない面積が小さいため、連結端２２１の近くを通過する流体が受ける作用力は小さく、圧力が小さくなる。ブレード２２は自由端２２２の近くは遮られていない面積が大きく、自由端２２２の近くを通過する流体が受ける作用力が大きく、圧力が大きくなる。即ち、ブレード２２の連結端２２１に近い側の流体圧力は小さく、ブレード２２の自由端２２２に近い側の流体圧力は大きいため、流体圧力が大きい側は圧力が小さい側へと流動し、自由端側２２２を通過する流体は連結端２２１側を通過する流体方向へ流動し、流出する流体が集中収束を形成する効果を生み出し、流体が外向きに拡散するのを防止する。
【００１４】
また、自由端２２２に設けた凸部２２５によって、自由端２２２に最も近接して通過する流体は、凸部２２５に衝突して流動方向を変え、連接端２２１側へ流動する。
【００１５】
図３、図６に示すように、上述のハウジング２３をヒートシンク２４上に固設し、ハブ２１の凸伸端２１１を発熱部材２４の中央箇所に向かい合わせにする。ここで述べる発熱部材２４は例えばヒートシンク（図６に示す）或いは中央処理装置（ＣＰＵ）などとし、ハブ２１を駆動して回転させ、ブレード２２が流体を連動させてハウジング２３のベース２３１を設けた側から進入させ、別の一側の発熱部材２４に向かって流動させる。ブレード２２を通過した流体は上述のようにハブ２１側（ブレード２２の連結端２２１）に向かって集中して流動し（流体の収束特性を形成）、またハブ２１に近い流体はハブ２１の側面を中段部２１２に沿って凸伸端２１１へ流れ、そのままヒートシンク２４の中央箇所に吹き付けることによって、ヒートシンク２４の中央箇所の最大発熱エリアの冷却問題を解決し、大幅に冷却効果を向上できる。
【図面の簡単な説明】
【００１６】
【図１】公知のファン構造の立体略図である。
【図２】公知のファン構造の側視断面略図である。
【図３】本考案のファンをハウジング内に設置した立体略図である。
【図４】本考案のファンをハウジング内に設置した俯瞰略図である。
【図５】本考案のファンをハウジング内に設置した側視断面略図である。
【図６】本考案のファンとハウジングをヒートシンク上に固設した流体動作略図である。
【符号の説明】
【００１７】
１１ ハブ
１１１ 一端
１２ ブレード
１２１ 前縁
１２２ 後縁
１３ 間隔
２１ ハブ
２１１ 凸伸端
２１２ 中段部
２２ ブレード
２２１ 連結端
２２２ 自由端
２２３ 前縁
２２４ 後縁
２２５ 凸部
２３ ハウジング
２３１ ベース
２４ ヒートシンク
【図１】
0003129893.tif 000003
【図２】
0003129893.tif 000004
【図３】
0003129893.tif 000005
【図４】
0003129893.tif 000006
【図５】
0003129893.tif 000007
【図６】
0003129893.tif 000008